(57)【要約】【課題】効果的に鳥を追い払うことが可能な鳥脅し装置および鳥の追い払い方法を提供する。【解決手段】鳥脅し装置１は、鳥を追い払いたい場所に配置される被打撃部２０と、厚さ方向の一側の打撃面３１が被打撃部２０に近接または接触する打撃位置Ｐ１と打撃面３１が被打撃部２０から離隔する離隔位置Ｐ２の間を往復移動可能に配置される帯板状の打撃部３０と、打撃部３０を打撃位置Ｐ１と離隔位置Ｐ２の間で往復移動させて打撃面３１を被打撃部２０に衝突させる駆動部４０と、を備えている。【選択図】図１
2020198855.tif 000002
【特許請求の範囲】
【請求項１】
鳥を追い払いたい場所に配置される被打撃部と、
厚さ方向の一側の打撃面が前記被打撃部に近接または接触する打撃位置、及び、前記打撃面が前記被打撃部から離隔する離隔位置の間を、往復移動可能に配置される帯板状の打撃部と、
前記打撃部を、前記打撃位置及び前記離隔位置の間で往復移動させて、前記打撃面を前記被打撃部に衝突させる駆動部と、
を備えることを特徴とする鳥脅し装置。
【請求項２】
前記被打撃部は、前記打撃部が打撃位置にある場合に、前記打撃面の長手方向の全域が近接または接触する被打撃面を備えることを特徴とする請求項１に記載の鳥脅し装置。
【請求項３】
前記打撃部および前記被打撃部は、縦割りした竹から構成されることを特徴とする請求項１または２に記載の鳥脅し装置。
【請求項４】
前記駆動部は、所定の揺動中心を中心に揺動するアームを備え、
前記打撃部は、長手方向が前記揺動中心の軸方向と直交する姿勢で、長手方向の一端が前記アームの先端部に接続されることを特徴とする請求項１から３までのいずれか１項に記載の鳥脅し装置。
【請求項５】
前記駆動部が固定される基板部を備え、
前記被打撃部は、前記基板部に固定されるか、または、前記基板部の一部から構成されることを特徴とする請求項１から４までのいずれか１項に記載の鳥脅し装置。
【請求項６】
前記打撃部は、長手方向寸法が３００ｍｍ以上１０００ｍｍ以下であることを特徴とする請求項１から５までのいずれか１項に記載の鳥脅し装置。
【請求項７】
予め設定された開始時刻と終了時刻の間に、予め設定された時間間隔で前記打撃部を前記被打撃部に衝突させるように前記駆動部を作動させる制御部を備えることを特徴とする請求項１から６までのいずれか１項に記載の鳥脅し装置。
【請求項８】
請求項１から７までのいずれか１項に記載の鳥脅し装置を使用することを特徴とする鳥の追い払い方法。
【請求項９】
前記鳥脅し装置を樹木または建造物の高さ方向の中間部よりも上方に前記打撃部が位置するように設置することを特徴とする請求項８に記載の鳥の追い払い方法。
【発明の詳細な説明】
【技術分野】
【０００１】
本発明は、飛来する鳥による食害や糞害等を防止するために、鳥を脅して追い払う鳥脅し装置および鳥の追い払い方法に関する。
【背景技術】
【０００２】
従来、人間にとって害をなす鳥を追い払うためのいわゆる鳥脅しとして、古くから案山子や鳴子等が農業において使用されている。近年では、丸い風船に大きな目玉を描いたものや、光を反射する円盤やテープなども使用されている。また、空港や山間部等の騒音が問題とならない地域においては、猟銃の空砲やガスの爆発による音を利用する手法も古くから使用されている。その他、鳥の体内時計を乱すと言われている磁石を設置したり、鳥のディストレスコールやアラームコールを録音したものをスピーカーから出力したりといった新たな手法も試みられている。
【０００３】
但し、これらの手法は、鳥がすぐ慣れてしまうため、効果的に鳥を追い払えるものではなかった。このため、可動物の動作と音を組み合わせ、鳥の視覚と聴覚の両方に訴えることで、より効果的に鳥を追い払う手法が提案されている（例えば、特許文献１参照）。
【先行技術文献】
【特許文献】
【０００４】
【特許文献１】特開２００６−６１１３８号公報
【発明の概要】
【発明が解決しようとする課題】
【０００５】
しかしながら、上記特許文献１に記載の手法は、不規則に揺動する細棒の動作によって視覚的に鳥を追い払うことを主眼として構成されており、聴覚に訴える音の発生は揺動部分とストッパの衝突音に起因するものであることから、音による脅し効果が低く、やはり鳥が慣れやすいという問題があった。
【０００６】
本発明は、斯かる実情に鑑み、効果的に鳥を追い払うことが可能な鳥脅し装置および鳥の追い払い方法を提供しようとするものである。
【課題を解決するための手段】
【０００７】
本発明の鳥脅し装置は、鳥を追い払いたい場所に配置される被打撃部と、厚さ方向の一側の打撃面が前記被打撃部に近接または接触する打撃位置、及び、前記打撃面が前記被打撃部から離隔する離隔位置の間を往復移動可能に配置される帯板状の打撃部と、前記打撃部を前記打撃位置及び前記離隔位置の間で往復移動させて、前記打撃面を前記被打撃部に衝突させる駆動部と、を備えることを特徴とする。
【０００８】
本発明の鳥脅し装置によれば、衝突時に、帯板状の打撃部を厚さ方向に振動させることができるため、より大きな音を周囲に響き渡らせることが可能となる。これにより、聴覚的な脅し効果を高めることが可能となるため、打撃部の動作による視覚的な脅し効果と共に鳥を効果的に追い払うことができる。
【０００９】
また、本発明の鳥脅し装置において、前記被打撃部は、前記打撃部が打撃位置にある場合に、前記打撃面の長手方向の全域が近接または接触する被打撃面を備えることが好ましい。
【００１０】
これによれば、打撃面が全体的に被打撃面に衝突して音を発生させるようにすることが可能となるため、音をより大きく響かせることができる。
【００１１】
また、本発明の鳥脅し装置において、前記打撃部および前記被打撃部は、縦割りした竹から構成されることが好ましい。
【００１２】
これによれば、竹特有のしなりや振動によって脅し効果の高い音を大きく響かせることができる。
【００１３】
また、本発明の鳥脅し装置において、前記駆動部は、所定の揺動中心を中心に揺動するアームを備え、前記打撃部は、長手方向が前記揺動中心の軸方向と直交する姿勢で長手方向の一端が前記アームの先端部に接続されることが好ましい。
【００１４】
これによれば、打撃部をしなるように弾性変形させながら被打撃部に衝突させ、衝突後にしなるように振動させることが可能となるため、音をより大きく響かせることができる。
【００１５】
また、本発明の鳥脅し装置は、前記駆動部が固定される基板部を備え、前記被打撃部は、前記基板部に固定されるか、または、前記基板部の一部から構成されることが好ましい。
【００１６】
これによれば、被打撃部、打撃部および駆動部を一つのユニットとして容易に運搬し、例えば鳥の集まる場所である樹木の上部等、鳥を追い払うのに効果的な場所に容易に設置することができる。
【００１７】
また、本発明の鳥脅し装置において、前記打撃部は、長手方向寸法が３００ｍｍ以上１０００ｍｍ以下であることが好ましい。
【００１８】
これによれば、打撃部の適度なしなりと振動によって効果的な音を発生させると共に、打撃部の動作による脅し効果を十分に発揮させることができる。
【００１９】
また、本発明の鳥脅し装置は、予め設定された開始時刻と終了時刻の間に、予め設定された時間間隔で前記打撃部を前記被打撃部に衝突させるように前記駆動部を作動させる制御部を備えることが好ましい。
【００２０】
これによれば、例えば鳥が集まる時間帯に限定して打撃部を動作させると共に、打撃部を周期的に動作させることで、一旦追い払われた鳥が再び戻ってくる度に追い払うことが可能となるため、より効果的に鳥を追い払うことができる。
【００２１】
また、本発明の鳥の追い払い方法は、本発明の鳥脅し装置を使用することを特徴とする。
【００２２】
本発明の鳥の追い払い方法によれば、本発明の鳥脅し装置によって聴覚的な脅し効果を高めることが可能となるため、打撃部の動作による視覚的な脅し効果と共に鳥を効果的に追い払うことができる。
【００２３】
また、本発明の鳥の追い払い方法において、前記鳥脅し装置を樹木または建造物の高さ方向の中間部よりも上方に前記打撃部が位置するように設置することが好ましい。
【００２４】
これによれば、鳥に近い場所で打撃部を動作させて音を発生させることが可能となるため、より脅し効果を高めることができる。
【発明の効果】
【００２５】
本発明に係る鳥脅し装置および鳥の追い払い方法によれば、効果的に鳥を追い払うことが可能という優れた効果を奏し得る。
【図面の簡単な説明】
【００２６】
【図１】本発明の一実施形態に係る鳥脅し装置の使用状態を示した概略図である。
【図２】駆動部の内部構造を示した概略図である。
【図３】図２におけるＡ方向矢視から見た断面図である。
【図４】駆動部による打撃部の動作を示した図である。
【図５】鳥脅し装置のその他の設置例を示した概略図である。
【発明を実施するための形態】
【００２７】
以下、本発明の実施の形態を、添付図面を参照して説明する。図１は、本発明の一実施形態に係る鳥脅し装置１の使用状態を示した外観斜視図である。
【００２８】
同図に示されるように、鳥脅し装置１は、例えば鳥が飛来する樹木等、鳥を追い払いたい場所に設置されるものである。鳥脅し装置１は、樹木に固定された基板部１０と、基板部１０に固定された被打撃部２０と、被打撃部２０に近接して配置された打撃部３０と、基板部１０に固定されて打撃部３０を揺動させる駆動部４０と、基板部１０とは別体に設けられた制御部５０と、から構成されている。
【００２９】
基板部１０は、被打撃部２０および駆動部４０を支持する帯板状の部材である。鳥脅し装置１では、このような基板部１０を設けることで、被打撃部２０、打撃部３０および駆動部４０を一つのユニットとして運搬し、例えば樹木の枝等にこれらを容易に設置することを可能としている。
【００３０】
基板部１０は、シンプルな平板状に構成されており、例えば固定ベルトや針金、結束バンド等の既知の固定具１２を利用して樹木の枝等に容易に固定することが可能となっている。基板部１０の材質は、特に限定されるものではないが、樹木等の比較的高い位置に設置することを考慮すると、木材やアルミ合金等の軽量な素材であることが好ましい。
【００３１】
被打撃部２０は、打撃部３０が衝突することにより、鳥を聴覚的に脅す衝突音を打撃部３０と共に発生させるものである。被打撃部２０は、基板部１０よりも短く（長手方向寸法が小さく）、細い（幅方向寸法の小さい）帯板状の部材である。被打撃部２０は、厚さ方向の一側の面を基板部１０側に向け、厚さ方向の他側の面である被打撃面２１を打撃部３０側に向けた状態で、針金等の固定具２２によって基板部１０に固定されている。
【００３２】
被打撃部２０の材質は特に限定されるものではなく、木材、樹脂、金属または繊維強化複合材料等、既知の各種素材を採用することができる。但し、被打撃部２０の材質は後述する打撃部３０の材質との組み合わせで、より脅し効果の高い音を発生させる材質であることが好ましい。この点から本実施形態では、被打撃部２０を縦割りにした竹から構成している。
【００３３】
打撃部３０は、駆動部４０に駆動されて被打撃部２０に衝突することで、被打撃部２０と共に衝突音を発生させるものである。打撃部３０はまた、被打撃部２０に対して近接離隔するように揺動動作することによって、鳥を視覚的に脅す機能も担っている。打撃部３０は、被打撃部２０よりも短く（長手方向寸法が小さく）、細い（幅方向寸法の小さい）帯板状の部材である。打撃部３０は、厚さ方向の一側の面である打撃面３１を被打撃部２０側に向けた状態で、長手方向の一端がねじ締結によって駆動部４０に固定されている。
【００３４】
図４に示すように、打撃部３０は、通常の状態では打撃面３１が被打撃部２０の被打撃面２１に近接または接触した状態となる打撃位置Ｐ１に配置されている。打撃位置Ｐ１において打撃面３１は、被打撃面２１と必ずしも接触していなくてもよい。そして、打撃部３０は駆動部４０に駆動され、打撃面３１が被打撃面２１から離隔した状態となる離隔位置Ｐ２に一旦移動した後に、再度打撃位置Ｐ１に戻ることによって打撃面３１が被打撃面２１に衝突し、被打撃部２０との間で衝突音を発生させる。
【００３５】
本実施形態では、打撃部３０を帯板状に構成し、厚さ方向の一側の面である打撃面３１を被打撃部２０の被打撃面２１に衝突させるようにすることで、より脅し効果の高い音を発生させることを可能としている。すなわち、互いに対向する面同士を衝突させることで衝突時に押しのけられる空気の量を大きくすると共に、衝突後の打撃部３０を厚さ方向に振動させることができるため、より大きな音を周囲に響き渡らせることが可能となっている。
【００３６】
本実施形態では特に、被打撃部２０を打撃部３０よりも長く構成し、打撃部３０が打撃位置Ｐ１にある場合に打撃面３１の長手方向の全域が被打撃面２１に近接または接触するように配置することで、打撃面３１が全体的に被打撃面２１に衝突して音を発生させるようにしているため、音をより大きく響かせることが可能となっている。本実施形態ではさらに、被打撃部２０を帯板状に構成しているため、衝突後の被打撃部２０の厚さ方向の振動によって音をより響かせることを可能としている。
【００３７】
打撃部３０の材質は特に限定されるものではなく、木材、樹脂、金属または繊維強化複合材料等、既知の各種素材を採用することができる。本実施形態では、より脅し効果の高い音を発生させるべく、打撃部３０は縦割りした竹から構成している。すなわち、竹は特有の弾性を有する素材であり、打撃部３０として縦割りした竹を使用することで、竹特有のしなりや振動によって脅し効果の高い周波数帯の音を大きく響かせることが可能となる。さらに、この場合、被打撃部２０も縦割りした竹から構成することで、竹特有のしなりや振動を相乗的に作用させ、より効果的な音を発生させることができる。
【００３８】
打撃部３０を構成する竹は、縦割り後に適宜に削って断面形状を整えたものであってもよいし、縦割りしたままの形状であってもよい。すなわち、打撃部３０の長手方向に垂直な断面の形状は、蒲鉾形状や長方形状であってもよいし、円弧状であってもよい。被打撃部２０を構成する竹についても同様である。但し、より効果的な音を発生させるためには、竹の表皮側の面を凸面のまま打撃面３１および被打撃面２１とすることが好ましい。
【００３９】
打撃部３０の各寸法は、特に限定されるものではないが、適度なしなりと振動によって効果的な音を発生させると共に動作による脅し効果を十分に発揮させるためには、長手方向の寸法が３００ｍｍ以上１０００ｍｍ以下であることが好ましく、４００ｍｍ以上９００ｍｍ以下であればより好ましい。同様に、打撃部３０の幅方向の寸法は、４０ｍｍ以上６０ｍｍ以下であることが好ましく、２０ｍｍ以上４０ｍｍ以下であればより好ましい。同様に、打撃部３０の厚さは、６ｍｍ以上１５ｍｍ以下であることが好ましく、７ｍｍ以上１０ｍｍ以下であればより好ましい。
【００４０】
なお、被打撃部２０の各寸法も特に限定されるものではないが、打撃面３１が全体的に衝突して音を発生させるようにするためには、長手方向の寸法が打撃部３０の長手方向の寸法以上であることが好ましい。同様に、被打撃部２０の幅方向の寸法は、打撃部３０の長手方向の寸法以上であることが好ましい。また、被打撃部２０の厚さは打撃部３０の厚さと同等であることが好ましい。
【００４１】
また、被打撃部２０および打撃部３０は、長手方向に沿って厚さ、幅方向寸法または断面形状が変化するものであってもよい。
【００４２】
駆動部４０は、適宜の防水カバー６０に覆われた状態で基板部１０に固定されている。図２は一部の構成の記載を省略することで駆動部４０の内部構造を示した斜視図であり、図３は図２におけるＡ方向矢視から見た断面図である。
【００４３】
これらの図に示されるように、駆動部４０は、箱状の筐体４１と、筐体４１内に配置された支軸４２と、支軸４２周りに揺動可能に配置されたアーム４３と、アーム４３を揺動方向の一方に付勢するように筐体４１内に配置された２つの付勢部材４４と、筐体４１内に収容されたモータ４５および減速機４６と、減速機４６の出力軸４６ａに接続された扇形状の回動部材４７と、回動部材４７に突設された円柱状のピン４８と、回動部材４７の近傍に配置されたスイッチ４９と、を備えている。
【００４４】
筐体４１は、平板を組み合わせて構成されており、駆動部４０の各部を収容して保護するものである。筐体４１には、平板をやや開いたコの字状に曲げて構成された架台４１ａが接続されており、この架台４１ａを介して筐体４１は基板部１０に固定されている。架台４１ａには、針金や固定ベルト等の固定具を通す通し孔４１ｂが設けられており、筐体４１はこの通し孔４１ｂを通した固定具４１ｃによって基板部１０に固定されている（図４参照）。
【００４５】
支軸４２は、アーム４３を揺動可能に支持するものである。支軸４２は、筐体４１内に立設された２つの平板状の支持部材４１ｄの間で両者を繋ぐように配置されている。なお、図２では、図の手前側の支持部材４１ｄの記載を省略している。
【００４６】
アーム４３は、打撃部３０が接続される部分である。アーム４３は、トレー状の基部４３ａと、基部４３ａにねじ締結で接続された平板状の平板部４３ｂと、基部４３ａと平板部４３ｂの間に挟持されたスカート状のスカート部４３ｃ（図３及び図４参照）と、から構成されている。
【００４７】
基部４３ａは、減速機４６および回動部材４７と干渉する部分が切り欠かれた形状に構成されている。基部４３ａには支軸４２が挿通されており、これによりアーム４３は支軸４２の中心を揺動中心として揺動可能となっている。また、アーム４３は、筐体４１の被打撃部２０側において突出した開口４１ｅ（図３参照）から基部４３ａの一部および平板部４３ｂが露出する状態で配置されている。
【００４８】
平板部４３ｂの先端部分には、打撃部３０の長手方向の一端がねじ締結によって接続されている。平板部４３ｂに接続された打撃部３０は、長手方向が支軸４２の軸方向（すなわち、揺動中心の軸方向）と直行する姿勢となる。また、平板部４３ｂは、打撃位置Ｐ１にある打撃部３０が被打撃部２０と略平行な状態となるように、への字状に曲折されている。スカート部４３ｃは、基部４３ａ側が開いたスカート状に構成されており、筐体４１ｃの開口４１ｅを塞ぐように設けられている。
【００４９】
付勢部材４４は、アーム４３に接続された打撃部３０が打撃位置Ｐ１に向かう方向にアーム４３を付勢するものである。これにより、打撃部３０は、通常の状態では打撃位置Ｐ１にある状態を維持するようになっている。付勢部材４４は、ねじりコイルばねから構成されており、コイル部分に支軸４２が挿通され、２つの支持部材４１ｄをつなぐ補強部材４１ｆの一つとアーム４３の基部４３ａの底部分の間で付勢力を発生させるように配置されている。
【００５０】
モータ４５は、回動部材４７を回転駆動するものであり、自身の出力軸が減速機４６の入力軸に接続された状態で減速機４６に固定されている。減速機４６は、内部の歯車列によってモータ４５の回転動力を減速して出力軸４６ａから回動部材４７へ出力するものであり、図の奥側の支持部材４１ｄ（図４参照）に固定されている。減速機４６の出力軸４６ａは、支軸４２と略平行に配置されている。
【００５１】
回動部材４７は、モータ４５に駆動されて図３における矢印方向に回動するものである。ピン４８は、回動部材４７から支軸４２と略平行な方向に突設されており、回動部材４７の回動に伴ってアーム４３の基部４３ａの端部を付勢部材４４の付勢力に抗して押圧するように配置されている。すなわち、アーム４３は、ピン４８に押圧されることによって打撃部３０が離隔位置Ｐ２に向かう方向に揺動するようになっている。
【００５２】
スイッチ４９は、回動部材４７が約１回転した場合にモータ４５を停止させるものである。スイッチ４９は、既知の構成により回動部材４７の外周面４７ａの回転位置に基づいて、回動部材４７が約１回転したことを検知し、モータ４５への通電を切断して停止させる。スイッチ４９はまた、制御部５０から駆動部４０への通電が切断されることによってリセットされ、これによりモータ４５は再度起動可能となる。本実施形態では、スイッチ４９を設けることで、制御部５０を簡素に構成することを可能としている。
【００５３】
図４は、駆動部４０による打撃部３０の動作を示した図である。制御部５０がモータ４５を起動して回動部材４７を回転させると、同図に示されるようにピン４８がアーム４３の基部４３ａの端部を押圧してアーム４３を図の矢印の方向に揺動させ、打撃部３０を打撃位置Ｐ１から離隔位置Ｐ２まで移動させる。そして、打撃部３０が離隔位置Ｐ２に到達するのと略同時にピンがアーム４３の基部４３ａの端部から外れる。すると、付勢部材４４の付勢力により、アーム４３はそれまでと逆方向に勢いよく揺動し、打撃部３０を再度打撃位置Ｐ１に移動させて、被打撃部２０に衝突させる。
【００５４】
上述のように、打撃部３０は、長手方向が支軸４２の軸方向と直交する姿勢でアーム４３に接続されているため、打撃部３０は、しなるように弾性変形しながら打撃位置Ｐ１に移動することとなる。従って、打撃位置Ｐ１において打撃面３１が必ずしも被打撃面２１に接触していなくとも、離隔位置Ｐ２から打撃位置Ｐ１に戻る際には打撃面３２を被打撃面２１に衝突させることができる。
【００５５】
打撃面３２が被打撃面２１に衝突することで、上述のように鳥に対する脅し効果の高い音が発生する。このときも、打撃部３０はしなるように振動することが可能であるため、より大きな音を周囲に響き渡らせることができる。また、打撃部３０が比較的ゆっくりと打撃位置Ｐ１から離隔位置Ｐ２に移動した後に、急激に打撃位置Ｐ１に戻る動作は、鳥の視覚に十分に訴えるものであり、この動作によっても鳥を効果的に脅すことが可能となっている。
【００５６】
図１に戻って、制御部５０は、ケーブル５１によって駆動部４０と電気的に接続されている。制御部５０は、既存の部品を組み合わせて構成され、電源５２と、ブレーカ５３と、２４時間タイムスイッチ５４と、タイマ５５と、リレー５６と、を備えている。
【００５７】
電源５２は、直流電源であり、駆動部４０および制御部５０の各部に電力を供給するものである。ブレーカ５３は、異常時等に制御部５０を電源５２から遮断するためのものである。２４時間タイムスイッチ５４は、予め設定された開始時刻に電源５２とタイマ５５およびリレー５６を接続し、予め設定された終了時刻に電源５２とタイマ５５およびリレー５６を遮断するものである。
【００５８】
タイマ５５は、予め設定された間隔でリレー５６のオンオフを切り替えるものである。本実施形態のタイマ５５は、７分３０秒間リレー５６をオンにした後に、７分３０秒間リレー５６をオフにするという動作を繰り返すように設定されている。リレー５６は、オンの場合は電源５２と駆動部４０の接続し、オフの場合は電源５２と駆動部４０を遮断するものである。
【００５９】
これらの構成により制御部５０は、まず予め設定された開始時刻（例えば、１５時）に、２４時間タイムスイッチ５４が電源５２とタイマ５５およびリレー５６を接続する。これにより、タイマ５５が動作を開始し、リレー５６をオンにする。すると、電源５２から駆動部４０に電力が供給され、モータ４５が回転して回動部材４７を回動させる。これにより、打撃部３０が打撃位置Ｐ１と離隔位置Ｐ２の間で往復移動して衝突音を発生させる。
【００６０】
その後、回動部材４７が約１回転した後にスイッチ４９がモータ４５を停止させる。従って、打撃部３０の往復移動および衝突音の発生は１回のみ行われる。このとき、リレー５６はまだオンのままであるが、スイッチ４９によってモータ４５は回転しないようになっている。
【００６１】
タイマ５５は、リレー５６をオンにしてから７分３０秒後にリレー５６をオフにする。すると、駆動部４０への電力供給が遮断されるため、スイッチ４９がリセットされ、モータ４５は次に電力が供給された際に起動可能となる。そして、タイマ５５は、リレー５６をオフにしてから７分３０秒後にリレー５６を再度オンにし、以後、上述の内容が繰り返される。
【００６２】
この結果、打撃部３０は、７分３０秒×２＝１５分間隔で動作して衝突音を発生させることとなる。そして予め設定された終了時刻（例えば、１８時）になったならば、２４時間タイムスイッチ５４が電源５２とタイマ５５およびリレー５６を切断する。これにより、タイマ５５および駆動部４０は電力の供給が遮断されて停止する。
【００６３】
このように、制御部５０は、例えば１５時から１８時までの間といった所定の時間帯においてのみ、打撃部３０を動作させ、被打撃部２０に衝突させることができるため、例えばムクドリがねぐらを求めて街路樹に集まる時間帯に絞って打撃部３０を動作させ、効果的且つ効率的にこれらを追い払うことが可能となっている。
【００６４】
また、制御部５０は、所定の時間間隔で打撃部３０を動作させるため、例えば一旦追い払った鳥が再び同じ場所に戻ってくるまでの時間間隔に合わせて動作を行わせることで、鳥が戻ってくる度に追い払うことができるため、効果的に鳥を追い払うことが可能となっている。なお、本実施形態では、打撃部３０を動作させる時間間隔を１５分に設定しているが、時間間隔がこれに限定されないことはいうまでもない。
【００６５】
次に、鳥脅し装置１の設置方法について説明する。
【００６６】
図５は、鳥脅し装置１のその他の設置例を示した外観斜視図である。同図に示されるように、鳥脅し装置１は、樹木以外にも例えば街灯柱や電柱、信号柱、塔、住宅、倉庫、ビル、橋梁等の人工的に作られた建造物に基板部１０が設置されるものであってもよい。
【００６７】
また、鳥の聴覚および視覚に効果的に訴えるためには、被打撃部２０および打撃部３０は追い払いたい鳥のなるべく近くに配置されることが好ましい。従って、基板部１０は、樹木や建造物の最上部に設置されることが好ましく、少なくとも打撃部３０が樹木または建造物の高さ方向の中間部よりも上方に位置するように基板部１０を設置することが好ましい。
【００６８】
さらに、打撃部３０の動作を鳥に確実に視認させ、脅し効果をより高めるためには、打撃部３０の先端が上方を向くように基板部１０を設置することが好ましく、また、打撃部３０が被打撃部２０の上方に位置するように基板部１０を設置することが好ましい。
【００６９】
以上、本発明の実施の形態について説明したが、本発明の鳥脅し装置１および鳥の追い払い方法は、上記した実施の形態に限定されるものではなく、本発明の要旨を逸脱しない範囲内において種々変更を加え得ることは勿論である。
【００７０】
例えば、基板部１０の形状や駆動部４０の各部の形状および配置は上記実施形態において示したものに限定されるものではなく、既知の種々の形状および配置を採用することができる。また、駆動部４０はモータ４５を使用するものに限定されず、その他のアクチュエータを使用するものであってもよい。また、制御部５０は、コンピュータから構成されるものであってもよく、さらに基板部１０に固定されるものであってもよい。
【００７１】
また、上記実施形態において示した作用および効果は、本発明から生じる最も好適な作用および効果を列挙したものに過ぎず、本発明による作用および効果は、これらに限定されるものではない。
【符号の説明】
【００７２】
１  鳥脅し装置
１０  基板部
２０  被打撃部
２１  被打撃面
３０  打撃部
３１  打撃面
４０  駆動部
５０  制御部
４３  アーム
Ｐ１  打撃位置
Ｐ２  離隔位置
【図１】
2020198855.tif 000003
【図２】
2020198855.tif 000004
【図３】
2020198855.tif 000005
【図４】
2020198855.tif 000006
【図５】
2020198855.tif 000007